(57)【要約】【課題】本発明は、目地砂を使用しない透水性ブロック舗装とすることにより、目地詰め作業時に、ブロックの透水孔が目地砂の泥分や微砂によって塞がれて目詰まりを起し、透水機能を低下させる従来工法の問題点を解決するための、目地砂を使用しない透水性ブロック舗装方法および目地砂を使用しない透水性ブロック舗装に用いる透水性ブロック舗装用強化板を得ることにある。【解決手段】目地砂を使用しないブロック舗装とするために、従来工法の目地砂の役割に代わる手段が必要である。その手段として、ブロック側面に凹みを有するブロックを使用し、相対するブロックの側面の凹みに食い込んで、ブロックの段差を防止する水平板と目地幅を確保し且つ水平板の移動を防ぐための垂直板とを有するプラスチック製の透水性ブロック舗装用強化板を構成している。【選択図】　図３
2004011352.tif 000002
【特許請求の範囲】
【請求項１】
路盤層を形成した後、該路盤層の上にサンドクッション層を形成する路盤形成工程とこの路盤形成工程後にサンドクッション層の上部にブロック側面に凹みを有するブロックを敷設し、敷設したブロック相互の凹みにブロック舗装強化板を挿入してブロックを敷設するブロック敷設工程からなり、目地砂を使用しないことを特徴とする透水性ブロック舗装方法。
【請求項２】
路盤層を形成した後、該路盤層の上にサンドクッション層を形成する路盤形成工程とこの路盤形成工程後にサンドクッション層の上部にブロック側面に凹みを有するブロックを敷設し、敷設したブロック相互の凹みにブロック舗装強化板を挿入してブロックを敷設するブロック敷設工程からなり、目地砂を使用しないことを特徴とする透水性ブロック舗装方法において、ブロック相互の凹みに差し渡して挿入するブロック相互の段差を防ぐための水平板とブロック相互の目地幅を確保し且つ水平板の移動を防ぐための垂直板を有することを特徴とするプラスチック製の透水性ブロック舗装用強化板。
【請求項３】
路盤層を形成した後、該路盤層の上にサンドクッション層を形成する路盤形成工程とこの路盤形成工程後にサンドクッション層の上部にブロック側面に凹みを有するブロックを敷設し、敷設したブロック相互の凹みにブロック舗装強化板を挿入してブロックを敷設するブロック敷設工程からなり、目地砂を使用しないことを特徴とする透水性ブロック舗装方法において、ブロック相互の凹みに差し渡して挿入するブロック相互の段差を防ぐための水平板とブロック相互の目地幅を確保し且つ水平板の移動を防ぐための十字型またはＴ字型の垂直板を有することを特徴とするプラスチック製の透水性ブロック舗装用強化板。
【請求項４】
路盤層を形成した後、該路盤層の上にサンドクッション層を形成する路盤形成工程とこの路盤形成工程後にサンドクッション層の上部にブロック側面に凹みを有するブロックを敷設し、敷設したブロック相互の凹みにブロック舗装強化板を挿入してブロックを敷設するブロック敷設工程からなり、目地砂を使用しないことを特徴とする透水性ブロック舗装方法において、ブロック相互の凹みに差し渡して挿入するブロック相互の段差および車の衝撃荷重によるブロックの破損を防止するために部材の厚みを変えるなどしてブロックの側面の凹みに食い込む水平板の先端部より目地部付近を弱くした水平板とブロック相互の目地幅を確保し且つ水平板の移動を防ぐための十字型またはＴ字型の垂直板を有することを特徴とするプラスチック製の透水性ブロック舗装用強化板。
【請求項５】
路盤層を形成した後、該路盤層の上にサンドクッション層を形成する路盤形成工程とこの路盤形成工程後にサンドクッション層の上部にブロック側面に凹みを有するブロックを敷設し、敷設したブロック相互の凹みにブロック舗装強化板を挿入してブロックを敷設するブロック敷設工程からなり、目地砂を使用しないことを特徴とする透水性ブロック舗装方法において、ブロック相互の凹みに差し渡して挿入するブロック相互の段差を防ぐための水平板とこの水平板には雨水を通過させるための貫通する透水孔があり、かつブロック相互の目地幅を確保し且つ水平板の移動を防ぐための垂直板を有することを特徴とするプラスチック製の透水性ブロック舗装用強化板。
【請求項６】
路盤層を形成した後、該路盤層の上にサンドクッション層を形成する路盤形成工程とこの路盤形成工程後にサンドクッション層の上部にブロック側面に凹みを有するブロックを敷設し、敷設したブロック相互の凹みにブロック舗装強化板を挿入してブロックを敷設するブロック敷設工程からなり、目地砂を使用しないことを特徴とする透水性ブロック舗装方法において、ブロック相互の凹みに差し渡して挿入するブロック相互の段差を防ぐためのブロックへの食い込み長さが３０ｍｍ以下、好ましくは１０〜２０ｍｍで、厚みが２０ｍｍ以下、好ましくは３〜１０ｍｍの水平板とブロック相互の目地幅を確保し且つ水平板の移動を防ぐための厚さが５ｍｍ以下、好ましくは１〜３ｍｍの垂直板を有することを特徴とするプラスチック製の透水性ブロック舗装用強化板。
【発明の詳細な説明】
【０００１】
【発明が属する技術分野】
本発明は、目地砂を使用しない透水性ブロック舗装における舗装方法および透水性ブロック舗装用強化板に関する。
【０００２】
【従来の技術】
従来の透水性ブロック舗装においては、ブロックの安定性を確保するために目地に目地砂を詰める工法が使用されている。
【０００３】
【発明が解決しようとする課題】
透水性ブロック舗装は、歩道の水勾配を小さくしたときに雨水による水溜りを防ぐための舗装である。歩道の水勾配（排水勾配）を小さくすることは、車椅子の走行を容易にするためで、いわゆるバリアフリーな舗装の普及にある。従来、透水性ブロック舗装の施工にはブロック相互のかみ合わせを高めて、ブロックを安定させるために、目地に目地砂が使用される。目地砂として、川砂や珪砂などが使用される。これらの目地砂には、泥分や微砂が含まれており、これらの目地砂に含まれている泥分や微砂が、目地詰め作業中に透水性ブロックの表面の透水孔を塞いで目詰まりを起こし、透水性ブロック舗装の透水機能を低下させるという問題がある。
【０００４】
本発明は以上のような従来の欠点に鑑み、目地砂を使用しない透水性ブロック舗装方法および目地砂を使用しなくてもブロックが安定するための透水性ブロック舗装用強化板を提供することを目的としている。
【０００５】
本発明の前記ならびにそのほかの目的と新規な特長は次の説明を添付図面と照らし合わせて読むとより完全に明らかになるであろう。ただし、図面はもっぱら解説のためのものであって、本発明の技術的範囲を限定するものではない。
【０００６】
【課題を解決するための手段】
上記の目的を解決するために、即ち、目地砂を使用しないブロック舗装方法とするために、従来の透水性ブロック舗装に使用されている目地砂の役割、即ち、ブロック相互のかみ合わせを高める機能に代わる手段が必要であり、その手段として、ブロックの側面に凹みのあるブロックを使用し、敷設した相互のブロックの両凹みに食い込んでブロック相互のずれ（段差）を防ぐ水平板と、ブロック相互の目地幅（間隔）を確保するための垂直板を有する透水性ブロック舗装用強化板を構成している。
【０００７】
【発明の実施の形態】
以下、図面に示す実施の形態により、本発明を詳細に説明する。
【０００８】
図１は、従来の透水性ブロック舗装の代表的な例であって、ブロック表面から路盤に通じる透水孔を有する透水性ブロック１１を用いて、路盤１３上のサンドクッション１２の上に敷設し、目地に目地砂１４を詰めて施工される。
【０００９】
図２は、従来の透水性ブロック舗装における透水性ブロック２１の表面の拡大図である。目地詰め作業時に透水性ブロック表面の透水孔２３が目地砂２２に含まれる微砂２４によって塞がれて目詰まりを起し、透水機能が低下するという問題が発生している。
【００１０】
図３は、本発明の透水性ブロック舗装用強化板３３を用いて目地砂を使用しない透水性ブロック舗装を示す。本発明の透水性ブロック舗装用強化板３３は、路盤層３６上のサンドクッション層３７の上に、ブロックの側面に凹み３２のあるブロック３１を使用し、敷設した相互のブロック３１の凹み３２に本発明の透水性ブロック舗装用強化板３３を差し渡して挿入することにより、透水性ブロック舗装用強化板３３の水平板３４によってブロックの縦方向のずれ（段差）を防ぎ、垂直板３５によってブロック相互の目地幅（間隔）を確保できるため、本発明の透水性ブロック舗装は、目地詰め作業を実施する必要がないことから、従来の透水性ブロック舗装に見られる目地砂による透水性ブロックの目詰まりを防止することが可能である。
【００１１】
図４は、本発明の透水性ブロック舗装用強化板の例を説明する図である。図４（ａ）は透水性ブロック舗装用強化板４１で、図４（ｂ）は、上記透水性ブロック舗装用強化板４１を用いてブロック４４を敷設した図である。本発明の透水性ブロック舗装用強化板４１は、図４（ａ）（ｂ）に示すように、ブロック４４の側面に凹み４６のあるブロック４４を使用し、敷設した相互のブロックの凹み４６に本発明の透水性ブロック舗装用強化板４１、４５を差し渡して挿入することにより、ブロック４４の縦方向のずれ（段差）を防ぐための水平板４２、４８とブロック相互の目地幅（間隔）を確保するための垂直板４３、４７で構成されている。
【００１２】
図５は、本発明の透水性ブロック舗装用強化板の例を説明する図である。図５（ａ）は透水性ブロック舗装用強化板５１で、図５（ｂ）は、上記透水性ブロック舗装用強化板５１を用いてブロック５４を敷設した図である。本発明の透水性ブロック舗装用強化板５１は、図５（ａ）（ｂ）に示すように、ブロック５４の側面に凹み５６のあるブロック５４を使用し、敷設した相互のブロックの凹み５６に本発明の透水性ブロック舗装用強化板５１、５５を差し渡して挿入することにより、ブロック５４の縦方向のずれ（段差）を防ぐための水平板５２、５８とブロック相互の目地幅（間隔）を確保するための垂直板５３、５７で構成されている。透水性ブロック舗装用強化板５１の垂直板５３は、敷設されたブロックのクロス目地に挿入されるように十字型となっている。垂直板５３を十字型とすることにより水平板５２の移動を防止している。
【００１３】
図６は、本発明の透水性ブロック舗装用強化板の例を説明する図である。図６（ａ）は透水性ブロック舗装用強化板６１で、図６（ｂ）は、上記透水性ブロック舗装用強化板６１を用いてブロック６４を敷設した図である。本発明の透水性ブロック舗装用強化板６１は、図６（ａ）（ｂ）に示すように、ブロック６４の側面に凹み６６のあるブロック６４を使用し、敷設した相互のブロックの凹み６６に本発明の透水性ブロック舗装用強化板６１、６５を差し渡して挿入することにより、ブロック６４の縦方向のずれ（段差）を防ぐための水平板６２、６８とブロック相互の目地幅（間隔）を確保するための垂直板６３、６７で構成されている。透水性ブロック舗装用強化板６１の垂直板６３は、敷設されたブロックのＴ型目地に挿入されるようにＴ型となっている。また、目地から雨水の透水をよくするために垂直板６３は水平板６２より短くなっている。垂直板６３をＴ型とすることにより水平板６２の移動を防止している。
【００１４】
図７は、本発明の透水性ブロック舗装用強化板の例を説明する図である。図７（ａ）は透水性ブロック舗装用強化板７１で、図７（ｂ）は、上記透水性ブロック舗装用強化板７１を用いてブロック７５を敷設した図である。本発明の透水性ブロック舗装用強化板７１は、図７（ａ）（ｂ）に示すように、ブロック７５の側面に凹み７７のあるブロック７５を使用し、敷設した相互のブロックの凹み７７に本発明の透水性ブロック舗装用強化板７１、７６を差し渡して挿入することにより、ブロック７５の縦方向のずれ（段差）を防ぐための水平板７２、７９とブロック相互の目地幅（間隔）を確保するための垂直板７３、７８で構成されている。透水性ブロック舗装用強化板７１の垂直板７３は、敷設されたブロックのクロス目地に挿入されるように十字型となっている。また、目地から雨水の透水をよくするために垂直板７３は水平板７２より短くなっており、かつ水平板７２には水平板７２を貫通する透水孔７４が取り付けられている。垂直板７３を十字型とすることにより水平板７２の移動を防止している。
【００１５】
図８は、本発明の透水性ブロック舗装用強化板の例を説明する図である。図８（ａ）は透水性ブロック舗装用強化板８１で、図８（ｂ）は、上記透水性ブロック舗装用強化板８１を用いてブロック８５を敷設した図である。本発明の透水性ブロック舗装用強化板８１は、図８（ａ）（ｂ）に示すように、ブロック８５の側面に凹み８７のあるブロック８５を使用し、敷設した相互のブロックの凹み８７に本発明の透水性ブロック舗装用強化板８１、８６を差し渡して挿入することにより、ブロック８５の縦方向のずれ（段差）を防ぐための水平板８２、８９とブロック相互の目地幅（間隔）を確保するための垂直板８３、８８で構成されている。透水性ブロック舗装用強化板８１の垂直板８３は、敷設されたブロックのＴ型目地に挿入されるようにＴ型となっている。また、水平板８２は、目地から雨水の透水をよくするために櫛形となっており、水平板８２に水平板８２を貫通する透水孔８４が取り付けられている。垂直板８３をＴ型とすることにより水平板８２の移動を防止している。
【００１６】
図９は、本発明の透水性ブロック舗装用強化板の水平板９３と垂直板９４に関する説明図である。ブロック９１の段差を防ぐための水平板９３のブロック９１の凹み９２への食い込み長さ９９は３０ｍｍ以下、好ましくは１０〜２０ｍｍとする。理由は、食い込み長さが大きいとブロックに亀裂９８が入って割れやすくなり、逆に小さいと水平板９３がブロック９１から外れやすくなるからである。水平板９３の厚み９６は、２０ｍｍ以下、好ましくは３〜１０ｍｍとする。理由は、ブロックの亀裂９８が入りにくくなるようにブロック側面の凹み９２からブロック上面までの距離９７を充分に確保するためである。ブロックの目地幅を確保するための垂直板９４の厚み９５は、５ｍｍ以下、好ましくは１〜３ｍｍとする。理由は、垂直板９４の厚みが厚いと、目地幅が大きくなり、車椅子やベビーカーの走行に傷害を与え、バリアフリーでなくなるからである。透水性ブロック舗装用強化板の材質は、ブロックより剛性が小さく弾性のあるプラスチックとする。理由は、ブロック上面に衝撃荷重が作用したときに、透水性ブロック舗装用強化板が一瞬変形し、ブロックに作用する衝撃荷重を和らげ、亀裂９８の発生を防ぐためである。衝撃荷重を和らげる方法として、水平板９３の中心部９１１は、水平板９３の先端部９１０より薄くすると更に効果的である。
【００１７】
【発明の効果】
以上の説明から明らかなように、本発明にあたっては次に列挙する効果が得られる。
【００１８】
路盤層を形成した後、該路盤層の上にサンドクッション層を形成する路盤形成工程とこの路盤形成工程後にサンドクッション層の上部にブロック側面に凹みを有するブロックを敷設し、敷設したブロック相互の凹みにブロック舗装強化板を挿入してブロックを敷設するブロック敷設工程からなるので、ブロック舗装強化板によりブロック相互の段差が発生しなく、且つ目地幅が確保されるので、目地砂を使用しなくてもブロックが安定するブロック舗装が提供される。目地砂を使用しないため、従来の目地砂を使用する工法において発生する目地砂中の泥分や微砂による透水性ブロック表面の透水孔を塞いで目詰まりし、透水性ブロック舗装の透水機能を低下させるという問題は解決される。
【００１９】
本発明による目地砂を使用しない透水性ブロック舗装は、透水性ブロックの目詰まりの防止のほか、次の付属の効果を示す。目地砂を使用しない目地構造のため、目地からの雨水の浸透が期待でき、従来の透水性ブロック舗装の透水性能を向上させると共に、従来不可能であった不透水性ブロック、例えば天然石等の舗装においても目地からの透水により透水性舗装とすることが可能である。また、本発明のブロック舗装強化板はプラスチックであることから、車の衝撃荷重がブロックに掛かったとき、ブロック舗装強化板が衝撃荷重を吸収してブロックに掛かる衝撃力を弱め、ブロックを破損から守る。これにより、従来歩道の車出入り口はコンクリート路盤としているが、本発明の舗装方法では砕石路盤とすることが可能となり、したがって車出入り口も水溜りの起きない透水性舗装とすることができる。またブロック舗装は商店街の舗装として良く使用されるが、このとき従来の目地砂を使用する方法では、舗装の目地詰め作業によって微粉が飛散し、商店街の店内を汚すことがある。本発明の目地砂を使用しない工法では、微粉による商店街の店内の汚れは発生しない。
【図面の簡単な説明】
【図１】従来の普通まては透水性ブロック舗装構造の説明図。
【図２】従来の透水性ブロック舗装の目地詰め作業による目詰まりの説明図。
【図３】本発明の透水性ブロック舗装用強化板を用いた普通又は透水性ブロック舗装構造の説明図。
【図４】本発明の透水性ブロック舗装用強化板の説明図。
【図５】本発明の透水性ブロック舗装用強化板の説明図。
【図６】本発明の透水性ブロック舗装用強化板の説明図。
【図７】本発明の透水性ブロック舗装用強化板の説明図。
【図８】本発明の透水性ブロック舗装用強化板の説明図
【図９】本発明の透水性ブロック舗装用強化板の説明図
【符号の説明】
１１、２１、３１、４４、５４、６４、７５、８５、９１　　舗装用普通又は透水性ブロック
１２、３７　　サンドクッション
１３、３６　　路盤
１４、２２　　目地砂
２３　　透水性ブロック表面の透水孔
２４　　目地砂の微砂分
３２、４６、５６、６６、７７、８７、９２　　ブロック側面の凹み
３３、４１、４５、５１、５５、６１、６５、７１、７６、８１、８６　　透水性ブロック舗装用強化板
３４、４２、４８、５２、５８、６２、６８、７２、７９、８２、８９、９３　透水性ブロック舗装用強化板の水平板
３５、４３、４７、５３、５７、６３、６７、７３、７８、８３、８８、９４　透水性ブロック舗装用強化板の垂直板
７４、８４　　透水性ブロック舗装用強化板の水平板の透水孔
９５　　透水性ブロック舗装用強化板の垂直板の厚み
９６　　透水性ブロック舗装用強化板の水平板の厚み
９７　　ブロック側面の凹みからブロック表面までの距離
９８　　ブロックに生じる亀裂
９９　　透水性ブロック舗装用強化板の水平板のブロックへの食い込み長さ
９１０　　透水性ブロック舗装用強化板の水平板のブロックへの食い込み先端部の厚み
９１１　　透水性ブロック舗装用強化板の水平板の中心部の厚み
【図１】
2004011352.tif 000003
【図２】
2004011352.tif 000004
【図３】
2004011352.tif 000005
【図４】
2004011352.tif 000006
【図５】
2004011352.tif 000007
【図６】
2004011352.tif 000008
【図７】
2004011352.tif 000009
【図８】
2004011352.tif 000010
【図９】
2004011352.tif 000011